(57)【要約】      （修正有）【課題】建物の外廊下の天井面や壁面へのアンカーボルト等の打ち込みや、接続配管への接着が不要で、作業負担軽減、施工時間短縮及び安全性向上が図れ、建物への修復・復旧作業が不要な吊下げ配管の提供。【解決手段】建物の外側に設けた仮設配管路の縦配管路Ｌ２と各住戸のメーターボックスＳ等に設置されて水道メーターＭを装着したメーターユニットＵとを接続する給水用吊下げ配管１であって、外廊下の天井面Ｂ２の下方に水平に配置され、基端部が縦配管路Ｌ２に接続される横向き配管２０と、横向き配管２０の先端部に接続され、係止部を備えた管継手２１と、外廊下の壁面Ｂ３に沿って縦向きに配置され、上端部が管継手２１、下端部がメーターユニットＵに接続される縦向き配管２２と、縦配管路Ｌ２と管継手２１との間に張設され、一端部が管継手２１の係止部、他端部が縦配管路Ｌ２の横向き配管２０との接続部の上方に連結される索条２３とを備えている。【選択図】図２
2020063610.tif 000002
【特許請求の範囲】
【請求項１】
数階建ての建物（Ｂ）内に敷設されている給水配管路の更新工事や補修工事を行う際に、建物（Ｂ）の外側に設けた仮設配管路（Ｌ）の縦配管路（Ｌ２）と建物（Ｂ）内の各住戸のメーターボックス（Ｓ）内又はパイプスペース内に設置されて水道メーター（Ｍ）を装着したメーターユニット（Ｕ）とを接続する給水用吊下げ配管（１）であって、建物（Ｂ）の外廊下の天井面（Ｂ２）の下方位置に水平姿勢で配置され、基端部が縦配管路（Ｌ２）に接続されると共に、先端部が外廊下の壁面（Ｂ３）近傍位置まで延びる横向き配管（２０）と、横向き配管（２０）の先端部に接続され、係止部（２１ａ）を備えた管継手（２１）と、外廊下の壁面（Ｂ３）に沿って縦向き姿勢で配置され、上端部が管継手（２１）に接続されると共に、下端部がメーターユニット（Ｕ）に接続される縦向き配管（２２）と、縦配管路（Ｌ２）と管継手（２１）との間に張設され、一端部が管継手（２１）の係止部（２１ａ）に係止されると共に、他端部が縦配管路（Ｌ２）の横向き配管（２０）との接続部よりも上方位置部分に連結される索条（２３）と、を備えており、前記縦配管路（Ｌ２）と管継手（２１）との間に張設された索条（２３）により横向き配管（２０）及び縦向き配管（２２）を保持する構成としたことを特徴とする給水用吊下げ配管。
【請求項２】
前記管継手（２１）は、９０°のエルボ継手から成り、当該エルボ継手に一体的に形成されて索条（２３）の一端部が挿通係止される係止穴（２１ｂ）を形成した板状の係止部（２１ａ）を備えていることを特徴とする請求項１に記載の給水用吊下げ配管。
【請求項３】
前記縦向き配管（２２）は、上端部が管継手（２１）に接続される縦向き直管（２２ａ）と、上端部が縦向き直管（２２ａ）の下端部に接続され、下端部がメーターユニット（Ｕ）に接続される可撓性の給水ホース（２２ｃ）と、を備えていることを特徴とする請求項１に記載の給水用吊下げ配管。
【請求項４】
前記縦向き配管（２２）の縦向き直管（２２ａ）と給水ホース（２２ｃ）との間又は縦向き直管（２２ａ）の上端部若しくは給水ホース（２２ｃ）の下端部にスライド継手（３１）を設けたことを特徴とする請求項３に記載の給水用吊下げ配管。
【請求項５】
前記索条（２３）を、ロープ、紐、ワイヤー、ベルト又はチェーンの何れかとしたことを特徴する請求項１に記載の給水用吊下げ配管。
【請求項６】
前記横向き配管（２０）と管継手（２１）と縦向き配管（２２）の上端部分とを予め接続固定してユニット化したことを特徴とする請求項１に記載の給水用吊下げ配管。
【発明の詳細な説明】
【技術分野】
【０００１】
本発明は、マンション等の集合住宅、学校、病院、ビル等の数階建ての建物内に敷設されている給水配管路（上水道管路）の更新工事や補修工事を行う際に、建物の外側に設けた仮設配管路の縦配管路と建物内の各住戸のメーターボックス内又はパイプスペース内に設置されて水道メーターを装着したメーターユニットとを接続する給水用吊下げ配管に係り、特に、建物の外廊下の天井面及び外廊下の壁面に沿って配設される給水用吊下げ配管に関するものである。
【背景技術】
【０００２】
一般に、マンション等の集合住宅、学校、病院、ビル等の数階建ての建物内に敷設されている給水配管路は、これを長年使用していると、亜鉛メッキ鋼管等の給水管内に発生した錆等が原因となって赤水の流出、管内のぬめり、バクテリアの発生、流量及び水圧の低下、スケールの発生、スケールの流出等が生じ、水質の悪化や衛生面の問題が生じるうえ、パッキンの劣化による漏水事故等の様々な悪影響が生じて来る。
【０００３】
そのため、集合住宅等の数階建ての建物においては、上述した問題が発生すると、給水配管路の更新工事や補修工事を行っている。このとき、建物内に敷設されている給水配管路の更新工事や補修工事においては、居住民の生活があるため、長期間、長時間の断水による管路更新や補修は許されない。
【０００４】
このように、従来の給水配管路の更新工事や補修工事においては、長期間、長時間の断水による管路更新や補修が許されないため、所謂仮設配管路を設ける工法が採用されている（例えば、特許文献１及び特許文献２参照）。
【０００５】
前記仮設配管路には、鋼管等の金属管に代えて軽量で取扱性に優れたビニル管やポリエチレン管等が広く使用されている。特に、ビニル管を用いて仮設配管路を敷設する場合には、ビニル管同士の接続に接着剤を使用し、永久的な結合を行っている。
【０００６】
しかし、ビニル管を用いた場合、ビニル管同士の接合に時間が掛かるだけでなく、接合完了から水道水の供給開始までに相当の時間を要するという問題があった。
【０００７】
また、仮設配管路の撤去には、永久的な結合を行っているために配管を切断しなければならず、時間と労費を費やすうえ、配管の再利用が出来ないために撤去後に仮設配管路の形成部材を全てスクラップ処分する必要があり、省資源や環境保全を図る上で多くの問題を抱えている。
【０００８】
一方、本件出願人は、上述した問題を解決する仮設配管路を開発し、特開２０１２−１２２２０９号公報（特許文献３）として公開している。
【０００９】
即ち、前記各仮設配管路は、図示していないが、ポリエチレン樹脂材により形成した直管、エルボ、チーズ、異径管、伸縮管等の管本体を適宜に突合せ融着すると共に、端部に位置する管本体の開口端部にポリエチレン樹脂製の筒状接続部を突合せ融着して仮設配管ユニットを形成し、当該仮設配管ユニットの筒状接続部同士を対向せしめて筒状接続部の先端部外周面に形成した環状の鍔部に環状のパッキンを被せ、前記環状の鍔部及び環状のパッキンを二つ割り状のハウジング形の管継手で抱き込んで締め付け固定し、仮設配管ユニット同士を環状のパッキン及びハウジング形の管継手で気密状に接続することにより形成されている。
【００１０】
このように、前記仮設配管路は、仮設配管ユニット同士を環状のパッキン及びハウジング形の管継手で気密状に接続することにより形成されるため、仮設配管路を簡単に形成することができて工期の短縮を図れると共に、管継手及び環状のパッキンを外すだけで仮設配管ユニットを簡単に分離することができ、また、仮設配管路の分解時に仮設配管ユニット、管継手が損傷することが殆どなく、再利用できると言う利点がある。
【００１１】
ところで、上述した仮設配管路を用いた給水配管路の更新工事や補修工事においては、集合住宅等の建物に仮設配管路の設置スペースが無い場合、仮設配管路を形成する縦配管路を更新工事や補修工事の期間中だけ建物の外側に設置している。
【００１２】
即ち、仮設配管路の縦配管路は、例えば、集合住宅等の建物の外廊下や外階段等に設けた手摺壁や手摺の外側位置に所定の間隔を空けて並列状に複数配設されており、前記各縦配管路と建物内の各住戸のメーターボックス内又はパイプスペース内に設置されている水道メーターを装着したメーターユニットとは、給水ホース等から成る給水用配管で接続されている。尚、縦配管路は、建物の外側に施工する際に、仮設配管ユニット等の落下を防止するため、配管ユニットの一部が建物の各階で外側廊下や外側階段に設けた手摺壁や手摺に固定されている。
【００１３】
前記給水用配管は、基本的には住民の通行の邪魔にならないように、また、子供等にイタズラされないように、縦配管路からメーターボックス内又はパイプスペース内まで建物の外廊下の天井面及び外廊下の壁面に沿って吊下げ状態で配設されている。
【００１４】
このとき、給水用配管には、縦配管路とメーターボックス又はパイプスペースとの距離や位置に関係なく、比較的自由に配管することができる可撓性の給水ホースが使用されている。
【００１５】
給水用配管に可撓性の給水ホースを使用すると、前記給水ホースは、剛性がないため、外廊下の天井面に沿って配設する場合には、図１０（Ａ）〜（Ｃ）に示すように、様々な構造の配管用固定金具１００を用いて外廊下の天井面や壁面に固定するようにしている（例えば、特許文献４〜６参照）。
【００１６】
しかしながら、図１０（Ａ）〜（Ｃ）に示す従来の配管用固定金具１００は、何れも配管用固定金具１００自体を建物の天井面や壁面にアンカーボルトやネジ等を用いて固定するタイプであるため、給水配管路の更新工事や補修工事が終了して縦配管路や給水用配管、配管用固定金具１００を取り除いた際に、建物の天井面や壁面に穴が開いてしまうので、補修工事が必要になり、作業者への負担が増加すると共に、施工時間が長くなると言う問題がある。しかも、電動ドライバー等の電動工具を使用してアンカーボルトやネジ等を外廊下の天井面や壁面に打ち込まなければならないため、作業者の姿勢が不安定になって安全性に劣ることになる。
【００１７】
また、集合住宅等の建物では、施工後の現状復旧が必要であり、施主側の要求によって外廊下の天井面や壁面にアンカーボルトやネジ等を打ち込めないことがある。
【００１８】
この場合には、可撓性の給水ホースに替えて剛性を有するビニル管を使用し、ビニル管を外廊下の天井や壁面に沿って配管するようにしている。
【００１９】
しかし、給水用配管にビニル管を使用すると、接続に接着剤を使用するため、接合に時間が掛かるだけでなく、接合完了から水道水の供給開始までに相当の時間を要するうえ、給水用配管の撤去時には、配管を切断しなければならず、時間と労費を費やすと言う問題がある。
【先行技術文献】
【特許文献】
【００２０】
【特許文献１】特開平１０−３０６４７２号公報
【特許文献２】特開平１１−１０７３３５号公報
【特許文献３】特開２０１２−１２２２０９号公報
【特許文献４】特開平１１−２４１７８９号公報
【特許文献５】特開２００１−１０８１４９号公報
【特許文献６】特開２０１５-０３４６０８号公報
【発明の概要】
【発明が解決しようとする課題】
【００２１】
本発明は、このような問題点に鑑みて為されたものであり、その目的は、アンカーボルトやネジ等を建物の外廊下の天井面や壁面に打ち込む必要がなくなると共に、配管の接続に接着剤を使用することがなく、作業負担が少なくなって施工時間の短縮及び安全性の向上を図れると共に、建物への修復作業や復旧作業も無くなって工期の短縮を図れるようにした給水用吊下げ配管を提供することにある。
【課題を解決するための手段】
【００２２】
上記目的を達成するために、本発明の請求項１に記載の給水用吊下げ配管は、数階建ての建物内に敷設されている給水配管路の更新工事や補修工事を行う際に、建物の外側に設けた仮設配管路の縦配管路と建物内の各住戸のメーターボックス内又はパイプスペース内に設置されて水道メーターを装着したメーターユニットとを接続する給水用吊下げ配管であって、建物の外廊下の天井面の下方位置に水平姿勢で配置され、基端部が縦配管路に接続されると共に、先端部が外廊下の壁面近傍位置まで延びる横向き配管と、横向き配管の先端部に接続され、係止部を備えた管継手と、外廊下の壁面に沿って縦向き姿勢で配置され、上端部が管継手に接続されると共に、下端部がメーターユニットに接続される縦向き配管と、縦配管路と管継手との間に張設され、一端部が管継手の係止部に係止されると共に、他端部が縦配管路の横向き配管との接続部よりも上方位置部分に連結される索条と、を備えており、前記縦配管路と管継手との間に張設された索条により横向き配管及び縦向き配管を保持する構成としたことに特徴がある。
【００２３】
本発明の請求項２に記載の給水用吊下げ配管は、請求項１に記載の給水用吊下げ配管において、前記管継手は、９０°のエルボ継手から成り、当該エルボ継手に一体的に形成されて索条の一端部が挿通係止される係止穴を形成した板状の係止部を備えていることに特徴がある。
【００２４】
本発明の請求項３に記載の給水用吊下げ配管は、請求項１に記載の給水用吊下げ配管において、前記縦向き配管は、上端部が管継手に接続される縦向き直管と、上端部が縦向き直管の下端部に接続され、下端部がメーターユニットに接続される可撓性の給水ホースと、を備えていることに特徴がある。
【００２５】
本発明の請求項４に記載の給水用吊下げ配管は、請求項３に記載の給水用吊下げ配管において、前記縦向き配管の縦向き直管と給水ホースとの間又は縦向き直管の上端部若しくは給水ホースの下端部にスライド継手を設けたことに特徴がある。
【００２６】
本発明の請求項５に記載の給水用吊下げ配管は、請求項１に記載の給水用吊下げ配管において、前記索条を、ロープ、紐、ワイヤー、ベルト又はチェーンの何れかとしたことに特徴がある。
【００２７】
本発明の請求項６に記載の給水用吊下げ配管は、請求項１に記載の給水用吊下げ配管において、前記横向き配管と管継手と縦向き配管の上端部分とを予め接続固定してユニット化したことに特徴がある。
【発明の効果】
【００２８】
本発明の給水用吊下げ配管は、建物の外廊下の天井付近に横向き姿勢で配置され、基端部が縦配管路に接続される横向き配管と、横向き配管の先端部に接続された管継手と、外廊下の壁面に沿って縦向き姿勢で配置され、上端部が管継手に接続されると共に、下端部が水道メーターに装着したメーターユニットに接続される縦向き配管と、縦配管路と管継手との間に張設された索条と、を備え、前記索条により横向き配管及び縦向き配管を保持する構成としているため、電動工具を使用してアンカーボルトやネジ等を建物の外廊下の天井面や壁面に打ち込むと言う作業が不要になると共に、配管の接続に接着剤を使用することがない。
その結果、本発明の給水用吊下げ配管を用いれば、作業負担が軽くなって施工時間の短縮及び安全性の向上を図れると共に、建物への修復作業や復旧作業も無くなって工期の短縮を図れることになる。
【００２９】
また、本発明の給水用吊下げ配管は、横向き配管と管継手と縦向き配管の上端部分とを予め接続固定してユニット化しているため、施工時間をより短縮することができる。
【００３０】
更に、本発明の給水用吊下げ配管は、縦向き配管がスライド継手を備えているため、給水用吊下げ配管を設置したときに、横向き配管の高さ位置が多少変わっても、スライド継手を長さ調整することにより縦向き配管の下端部をメーターユニットに確実に接続することができる。
【図面の簡単な説明】
【００３１】
【図１】本発明の実施形態に係る給水用吊下げ配管を用いて仮設配管路をマンション等の集合住宅の建物に設けた一例を示す配管割図である。
【図２】仮設配管路の縦配管路を固定金具により建物の手摺壁に固定し、縦配管路とメーターユニットとを給水用吊下げ配管で接続した状態を示す建物の要部の概略縦断面図である。
【図３】仮設配管ユニットの正面図である。
【図４】仮設配管ユニットの一部省略拡大縦断正面図である。
【図５】図４のＡ−Ａ線断面図である。
【図６】給水用吊下げ配管の一部省略拡大正面図である。
【図７】同じく給水用吊下げ配管の要部の一部切欠き正面図である。
【図８】同じく給水用吊下げ配管の要部の一部切欠き正面図である。
【図９】本発明の他の実施形態に係る給水用吊下げ配管を用いて縦配管路とメーターユニットを接続した状態を示す建物の要部の概略縦断面図である。
【図１０】従来の配管用固定金具の斜視図である。
【発明を実施するための形態】
【００３２】
以下、本発明の実施形態を図面に基づいて詳細に説明する。
図１は本発明の実施形態に係る給水用吊下げ配管１を用いて仮設配管路Ｌをマンション等の集合住宅に設置した一例を示す配管割図であり、前記仮設配管路Ｌは、集合住宅等の数階建ての建物Ｂ内に敷設されている既設の給水配管路（上水道管路）の更新工事や補修工事を行う際に、建物Ｂの外側に設置して長時間断水することなく給水配管路の更新工事や補修工事を行えるようにしたものであり、給水用のタンクやポンプ（何れも図示省略）に接続されている既設の水道管（図示省略）に接続されて建物Ｂの屋上に配設された仮設の屋上配管路Ｌ１と、仮設の屋上配管路Ｌ１に接続されて建物Ｂの屋上から最下部のフロア（Ｆ１）まで並列状に配設された複数の仮設の縦配管路Ｌ２と、を備えている。
【００３３】
前記仮設の屋上配管路Ｌ１は、直管２、チーズ３（同径チーズ又は異径チーズ）、ハウジング形の管継手４、ボールバルブ等の止水栓（図示省略）、エルボ（図示省略）、フレキシブル継手（図示省略）等を備えており、前記各部材２，３をハウジング形の管継手４で順次接続することにより形成されている。この仮設の屋上配管路Ｌ１は、最も上流側に位置する部材がＶＳ継手（図示省略）等を介して給水用のタンク又はポンプ（何れも図示省略）に接続されている既設の水道管（図示省略）に接続されており、既設の水道管から水道水が流入するようになっている。
【００３４】
一方、前記複数の仮設の縦配管路Ｌ２は、仮設配管ユニット５、直管２、エルボ６、止水栓７（ボールバルブ）、ハウジング形の管継手４、エンドキャップ８等をそれぞれ備えており、前記各部材２，５，６，７，８をハウジング形の管継手４で直列状に接続することにより形成されている。これらの各縦配管路Ｌ２は、何れも建物Ｂに設けた外廊下の外側位置に並列状に配設されており、固定金具９により外廊下の手摺壁Ｂ１に固定されている（図２参照）。尚、固定金具９は、手摺壁Ｂ１の上端部に着脱自在に固定されており、手摺壁Ｂ１の外側面に沿って配設された縦配管路Ｌ２の一部分を保持固定している。
【００３５】
前記仮設の縦配管路Ｌ２に用いる仮設配管ユニット５は、図３及び図４に示す如く、合成樹脂製の直線状の管本体１０と、管本体１０の一端部に突合せ融着Ｗにより接続された合成樹脂製のチーズ１１と、チーズ１１の管本体１０に接続された反対側の端部に突合せ融着Ｗにより接続された合成樹脂製の筒状の受け口１２と、管本体１０の他端部に突合せ融着Ｗにより接続され、他の仮設配管ユニット５の受け口１２に気密状態で着脱自在に挿着される合成樹脂製の筒状の挿し口１３と、チーズ１１のＴ型の突出部１１ａに突合せ融着Ｗにより接続された合成樹脂製の筒状の分岐口１４と、分岐口１４の先端部に設けた継手１５と、受け口部１２に設けられ、作業者が身に着けている安全帯（図示省略）に着脱自在に連結される落下防止手段１６と、を備えており、前記受け口１２に他の仮設配管ユニット５の挿し口１３を、また、前記挿し口１３に更に他の仮設配管ユニット５の受け口１２をそれぞれ気密状態で着脱自在に挿着し、各仮設配管ユニット５の端部同士をハウジング形の管継手４で接続することにより直列状に接続されるようになっている。
【００３６】
前記仮設配管ユニット５の継手１５は、図４に示す如く、分岐口１４にシール材１５ａを介して気密状態で挿着された短管１５ｂと、分岐口１４の端面に固定され、短管１５ｂを抜け止めする止めナット１５ｃと、短管１５ｂに回転自在且つ軸線方向へ移動自在に外嵌されたユニオンナット１５ｄと、を備えており、従来公知のユニオン継手と同様構造に構成されている。
【００３７】
また、仮設配管ユニット５の落下防止手段１６は、仮設配管ユニット５同士を接続する際に、作業者が身に着けている安全帯（図示省略）に設けたフック部材（図示省略）に連結されて仮設配管ユニット５が落下するのを防止するのに用いられるものであり、図５及び図６に示す如く、受け口１２の小径部分の外周面に着脱自在に外嵌され、帯状金属板により形成した二つの半円状のバンド部１７ａの端部同士をヒンジ１７ｂで連結することにより開閉自在とした円形の配管支持金具１７と、配管支持金具１７の二つのバンド部１７ａの自由端に連設された対向する一対の締め付け片１７ｃ同士を締め付け固定して配管支持金具１７を受け口１２の外周面に締め付け固定する緊締具１８（ボルト及びナット）と、一対の締め付け片１７ｃに形成した貫通穴１７ｄに挿通係止された金属製のリング部材１９と、を備えている。
【００３８】
前記落下防止手段１６は、仮設配管ユニット５の落下防止だけでなく、後述する給水用吊下げ配管１を配管する場合にも使用されており、仮設配管ユニット５の分岐口１４よりも高い位置に設けられている。
【００３９】
尚、仮設配管ユニット５の受け口１２及び挿し口１３には、他の仮設配管ユニット５の他に、単体部材である直管２、チーズ３、エルボ６、止水栓７、エンドキャップ８、フレキシブル継手（図示省略）等がハウジング形の管継手４を介して着脱自在に接続される構成となっている。前記単体部材の各端部には、仮設配管ユニット５と同様に筒状の受け口１２や筒状の挿し口１３がそれぞれ設けられている。
【００４０】
また、仮設配管ユニット５は、その長さ（高さ）が建物Ｂの階高に合わせた長さに設定されており、各仮設配管ユニット５を縦向きに接続して建物Ｂの外廊下の外側位置に配設したときに、仮設配管ユニット５が建物Ｂの各階に一つずつ確実に配置され、仮設配管ユニット５の分岐口１４及び継手１５の位置が必ず各階の天井面Ｂ２よりも少し低い位置に位置するようにしている。
【００４１】
上記の実施形態においては、仮設の縦配管路Ｌ２の一部に図３及び図４に示すような仮設配管ユニット５を使用したが、他の実施形態においては、仮設配管ユニット５を省略し、複数の直管２やチーズ３等をハウジング形の管継手４により直列状に接続して仮設の縦配管路Ｌ２を形成するようにしても良い。
【００４２】
また、上記の実施形態においては、チーズ３の端部に受け口１２を設け、管本体１０の他端部に挿し口１３を設けたが、他の実施形態においては、チーズ３の端部に挿し口１３を設け、管本体１０の他端部に受け口１２を設けるようにしても良い。
【００４３】
そして、建物Ｂの外廊下に設けた手摺壁Ｂ１の外側位置に配設された仮設配管路Ｌの縦配管路Ｌ２は、建物Ｂの各住戸のメーターボックスＳ内（又はパイプスペース内）に収納した水道メーターＭを装着したメーターユニットＵにそれぞれ給水用吊下げ配管１により接続されており、縦配管路Ｌ２内を流れる水道水を給水用吊下げ配管１により各住戸へ供給するようになっている（図２参照）。
【００４４】
図２及び図６〜図８は本発明の実施形態に係る給水用吊下げ配管１を示し、当該給水用吊下げ配管１は、建物Ｂの外廊下に設けた手摺壁Ｂ１の外側位置に配設された仮設配管路Ｌの縦配管路Ｌ２と建物Ｂ内の各住戸のメーターボックスＳ内に設置されたメーターユニットＵとを接続するものである。
【００４５】
即ち、前記給水用吊下げ配管１は、図２及び図６に示す如く、建物Ｂの外廊下の天井面Ｂ２の下方位置に水平姿勢で配置され、基端部が縦配管路Ｌ２に接続されると共に、先端部が外廊下の壁面Ｂ３近傍位置まで延びる剛性を有する横向き配管２０と、横向き配管２０の先端部に接続され、係止部２１ａを備えた管継手２１と、外廊下の壁面Ｂ３に沿って縦向き姿勢で配置され、上端部が管継手２１に接続されると共に、下端部が水道メーターＭを装着したメーターユニットＵに接続される縦向き配管２２と、縦配管路Ｌ２と管継手２１との間に張設され、一端部が管継手２１の係止部２１ａに係止されると共に、他端部が縦配管路Ｌ２の横向き配管２０との接続部よりも上方位置部分に連結される索条２３と、を備えており、前記縦配管路Ｌ２と管継手２１との間に張設された索条２３により横向き配管２０及び縦向き配管２２を保持する構成となっている。
【００４６】
具体的には、前記横向き配管２０は、ポリエチレン樹脂材により形成された横向き直管２０ａと、横向き直管２０ａの基端部に接着接合され、先端部外周面に仮設配管ユニット５の継手１５のユニオンナット１５ｄが着脱自在に螺着される雄ネジを形成した金属製又は合成樹脂製の鍔付きの筒状のオネジアダプター２０ｂと、を備えており、建物Ｂの外廊下の幅とほぼ同じ長さに形成されている。
【００４７】
前記管継手２１は、ポリエチレン樹脂材により形成された９０°のエルボ継手から成り、当該エルボ継手の外周面には、索条２３の一端部が挿通係止される係止穴２１ｂを形成した板状の係止部２１ａが一体的に形成されている。この管継手２１の一方の端部は、横向き配管２０の先端部（横向き直管２０ａの先端部）に接着接合されている。
【００４８】
前記縦向き配管２２は、ポリエチレン樹脂材により形成され、上端部が管継手２１の他方の端部に接着接合された縦向き直管２２ａと、縦向き直管２２ａの下端部に接着接合され、下端部外周面に雄ネジを形成した金属製又は合成樹脂製の鍔付きの筒状のオネジアダプター２２ｂと、上端部が縦向き直管２２ａの下端部に設けたオネジアダプター２２ｂに接続され、下端部がメーターユニットＵに接続される可撓性の給水ホース２２ｃと、を備えている。
【００４９】
また、給水ホース２２ｃは、屈曲自在な金属製又は合成樹脂製のフレキシブル管２２ｃ１と、フレキシブル管２２ｃ１の上端部に設けられ、縦向き直管２２ａの下端部に設けたオネジアダプター２２ｂに着脱自在に螺着される上部ユニオンナット２２ｃ２と、フレキシブル管２２ｃの下端部に設けられ、メーターユニットＵの止水栓３１に着脱自在に螺着される下部ユニオンナット２２ｃ３と、を備えている。
【００５０】
尚、前記メーターユニットＵは、各住戸内の水道管に接続される水道メーターＭを装着するためのものであり、ベース２４、二次側のメーター保持部材２５、一次側のメーター保持部材２６、スライド継手２７、一次側エルボ２８、減圧弁２９及び止水栓３０等を備えている。
【００５１】
そして、前記横向き配管２０と管継手２１と縦向き配管２２においては、横向き配管２０の横向き直管２０ａと管継手２１とが接着接合され、また、管継手２１と縦向き配管２２の縦向き直管２２ａとが接着接合されており、ユニット化された状態となっている。
【００５２】
前記索条２３は、縦配管路Ｌ２と管継手２１との間に緊張状態で張設されており、横向き配管２０及び縦向き配管２２を保持するものである。
【００５３】
即ち、索条２３は、一端部が管継手２１の係止部２１ａに挿通係止され、他端部が縦配管路Ｌ２の横向き配管２０との接続部よりも上方位置部分に連結されており、縦配管路Ｌ２と管継手２１との間に緊張した状態で張設されている。この実施形態においては、索条２３には、合成繊維製のロープが使用されている。このロープ製の索条２１の一端部は、管継手２１の係止部２１ａに形成した貫通穴２１ｂに挿通係止されて抜け止めされ、索条２１の他端部は、落下防止手段１６のリング部材１９に挿通されて結び付けられている。
【００５４】
尚、索条２３には、合成繊維製のロープに替えて天然繊維製又はゴム製のロープ、合成繊維製又は天然繊維製の紐やベルト、金属製のワイヤー、金属製又は合成樹脂製のチェーンを使用するようにしても良い。
【００５５】
上記の実施形態においては、横向き直管２０ａ、管継手２１及び縦向き直管２２ａをそれぞれポリエチレン樹脂材により形成したが、他の実施形態においては、横向き直管２０ａ、管継手２１及び縦向き直管２２ａをそれぞれ他の合成樹脂材（例えば、ビニル樹脂材）や金属材により形成するようにしても良い。
【００５６】
また、上記の実施形態においては、縦向き配管２２を縦向き直管２２ａとオネジアダプター２２ｂと給水ホース２２ｃとで構成したが、他の実施形態においては、縦向き配管２２を給水ホース２２ｃのみで構成しても良い。
【００５７】
更に、上記の実施形態においては、落下防止手段１６がリング部材１９を備えているが、他の実施形態においては、リング材１９を省略し、配管支持金具１７の貫通穴１７ｃに安全帯（図示省略）に設けたフック部材（図示省略）を連結したり、或いは、索条２３の他端部を配管支持金具１７の貫通穴１７ｃに挿通係止するようにしても良い。
【００５８】
更に、上記の実施形態においては、索条２３の他端部を落下防止手段１９のリング部材１９に連結するようにしたが、他の実施形態においては、索条２３の他端部を仮設配管ユニット５に直接結び付けるようにしても良い。この場合、索条２３の他端部は、仮設配管ユニット５の当該仮設配管ユニット５と横向き配管２０との接続部よりも上方位置部分に結び付ける。
【００５９】
而して、上述した給水用吊下げ配管１においては、建物Ｂの外側に縦配管路Ｌ２を配設した後、縦配管路Ｌ２を形成する仮設配管ユニット５の継手１５とメーターボックスＳ内のメーターユニットＵの止水栓３１とを給水用吊下げ配管１で接続することにより縦配管路Ｌ２内を流れる水道水を給水用吊下げ配管１を通して各住戸へ供給することができる。このとき、給水用吊下げ配管１を形成する横向き配管２０及び縦向き配管２２は、仮設配管ユニット５と管継手２１との間に緊張状態で張設した索条２３により保持されている。
【００６０】
前記給水用吊下げ配管１は、索条２３により横向き配管２０及び縦向き配管２２を保持する構成としているため、電動工具を使用してアンカーボルトやネジ等を建物Ｂの外廊下の天井面Ｂ２や壁面Ｂ３に打ち込むと言う作業が不要になると共に、配管の接続に接着剤を使用することがない。
その結果、前記給水用吊下げ配管１を用いれば、作業負担が軽くなって施工時間の短縮及び安全性の向上を図れると共に、建物への修復作業や復旧作業も無くなって工期の短縮を図れることになる。
【００６１】
また、給水用吊下げ配管１は、横向き配管２０と管継手２１と縦向き配管２２の縦向き直管２２ａとを予め接続固定してユニット化しているため、施工時間をより短縮することができる。
【００６２】
図９は本発明の他の実施形態に係る給水用吊下げ配管１を示し、当該給水用吊下げ配管１は、縦向き配管２２の縦向き直管２２ａと給水ホース２２ｃとの間に従来公知のスライド継手３１を設けたものである。
【００６３】
尚、図９に示す給水用吊下げ配管１おいては、スライド継手３１を設けたこと以外は、図２に示す給水用吊下げ配管１と同様構造に構成されているため、図２に示す給水用吊下げ配管１と同じ部材・部位には同一の参照番号を付し、その詳細な説明を省略する。
【００６４】
図９に示す給水用吊下げ配管１は、縦向き配管２２がスライド継手３１を備えているため、給水用吊下げ配管１を設置したときに、横向き配管２０の高さ位置が多少変わっても、スライド継手３１を長さ調整することにより縦向き配管２０の下端部を水道メーターＭを装着したメーターユニットＵに確実に接続することができる。
【００６５】
上記の実施形態においては、縦向き配管２２の縦向き直管２２ａと給水ホース２２ｃとの間にスライド継手３１を設けたが、他の実施形態においては、縦向き直管２２ａの上端部又は給水ホースの２２ｃの下端部にスライド継手３１を設けるようにしても良い。
【符号の説明】
【００６６】
１は給水用吊下げ配管
２０は横向き配管
２１は管継手
２１ａは管継手の係止部
２２は縦向き配管
２２ａは縦向き直管
２２ｃは給水ホース
２３は索条
Ｂは建物
Ｂ２は外廊下の天井面
Ｂ３は外廊下の壁面
Ｌは仮設配管路
Ｌ２は縦配管路
Ｍは水道メーター
Ｕはメーターユニット
【図１】
2020063610.tif 000003
【図２】
2020063610.tif 000004
【図３】
2020063610.tif 000005
【図４】
2020063610.tif 000006
【図５】
2020063610.tif 000007
【図６】
2020063610.tif 000008
【図７】
2020063610.tif 000009
【図８】
2020063610.tif 000010
【図９】
2020063610.tif 000011
【図１０】
2020063610.tif 000012